(57)【要約】【課題】Ｘ−Ｙ波形を所望の表示スケールで所望の表示位置に容易に表示させる。【解決手段】Ｘ−Ｙ波形Ｗ１，Ｗ２を波形用表示画面２１内に表示する表示部１４と、Ｘ−Ｙ波形Ｗ１，Ｗ２の表示位置および表示スケールを設定する表示設定操作が可能な操作部と、表示設定操作に従って表示部によるＸ−Ｙ波形Ｗ１，Ｗ２の表示を制御する制御部とを備え、操作部は、表示画面内における任意の位置に任意の大きさの表示用矩形領域２２を設定する表示設定操作としての領域設定操作が可能なポインティングデバイスを備えて構成され、制御部は、領域設定操作によって表示用矩形領域２２が設定されたときに、表示部１４を制御して表示用矩形領域２２の全域に表示可能な表示スケールでＸ−Ｙ波形Ｗ１，Ｗ２を表示用矩形領域２２内に表示させる表示処理を実行する。【選択図】図５
2010185672.tif 000002
【特許請求の範囲】
【請求項１】
１つの物理量をＸ座標軸とし他の１つの物理量をＹ座標軸とする平面内において当該２つの各物理量によって特定される座標点を当該各物理量の経時変化に対応させて複数プロットして得られるＸ−Ｙ波形を表示画面内に表示する表示部と、前記Ｘ−Ｙ波形の表示位置および表示スケールを設定する表示設定操作が可能な操作部と、前記表示設定操作に従って前記表示部による前記Ｘ−Ｙ波形の表示を制御する制御部とを備えた波形表示装置であって、
前記操作部は、前記表示画面内における任意の位置に任意の大きさの所定領域を設定する前記表示設定操作としての領域設定操作が可能なポインティングデバイスを備えて構成され、
前記制御部は、前記領域設定操作によって前記所定領域が設定されたときに、前記表示部を制御して前記所定領域の全域に表示可能な表示スケールで前記Ｘ−Ｙ波形を当該所定領域内に表示させる表示処理を実行する波形表示装置。
【請求項２】
前記操作部は、前記ポインティングデバイスを用いた前記領域設定操作において前記所定領域としての矩形領域を設定可能に構成されると共に、前記矩形領域の設定時において当該矩形領域の縦横比を予め規定された値に維持する請求項１記載の波形表示装置。
【請求項３】
前記操作部は、前記表示画面内に表示されている複数の前記Ｘ−Ｙ波形の中の１つを選択する波形選択操作が可能に構成され、
前記制御部は、前記波形選択操作によって選択された前記Ｘ−Ｙ波形についての前記所定領域が設定されたときに当該選択された前記Ｘ−Ｙ波形に対する前記表示処理を実行する請求項１または２記載の波形表示装置。
【請求項４】
前記操作部は、前記表示画面に表示されている前記Ｘ−Ｙ波形の一部分を選択する前記ポインティングデバイスを用いた部分選択操作が可能に構成され、
前記制御部は、前記部分選択操作によって前記Ｘ−Ｙ波形の一部分が選択されたときに、前記表示部を制御して前記表示画面の全域に表示可能な表示スケールで当該一部分を当該表示画面の全域に表示させる拡大表示処理を実行する請求項１から３のいずれかに記載の波形表示装置。
【発明の詳細な説明】
【技術分野】
【０００１】
本発明は、１つの物理量をＸ座標軸とし他の１つの物理量をＹ座標軸とする平面内において各物理量によって特定される座標点を各物理量の経時変化に対応させて複数プロットして得られるＸ−Ｙ波形を表示する波形表示装置に関するものである。
【背景技術】
【０００２】
この種の波形表示装置として、特開平１−２８７４２０号公報において出願人が開示したＸ−Ｙレコーダが知られている。このＸ−Ｙレコーダは、２つのＡ／Ｄ変換器、ＣＰＵ、メモリおよびディスプレイ等を備えて構成されている。このＸ−Ｙレコーダでは、各Ａ／Ｄ変換器が２つのチャンネルの電気信号（入力信号）をそれぞれデジタル信号に変換し、ＣＰＵが、一方のチャンネルのデジタル信号を所定のサンプリング間隔毎に取り込んでＸ座標軸方向の位置データとしてメモリに記録させ、他方のチャンネルのデジタル信号をサンプリング間隔毎に取り込んでＹ座標軸方向の位置データとしてメモリに記録させる。そして、メモリに記録されている各位置データが読み出されて、各位置データによって特定される座標点をプロットしたＸ−Ｙ波形がディスプレイに表示される。
【０００３】
この場合、出願人が開発しているこの種の波形表示装置では、電気信号のパラメータを入力（または、複数の値の中から選択）することによってＸ−Ｙ波形の表示位置や表示スケール（表示尺度）が決定される。具体的には、例えば、一方のチャンネル（Ｃｈ１）に電気信号としての電圧信号を入力すると共に、他方のチャンネル（Ｃｈ２）に電気信号としての電流信号を入力して、電圧値をＸ座標軸とし電流値をＹ座標軸とするＸ−Ｙ波形を表示させる際には、図１４に示すように、各電気信号のパラメータとしての電圧値および電流値の上限値・下限値を入力する。これにより、同図に示すように、ディスプレイ１００におけるＸ座標軸方向の右端部を電圧値の上限値（この例では、＋２０Ｖ）、Ｘ座標軸方向の左端部を電圧値の下限値（この例では、−２０Ｖ）、Ｙ座標軸方向の上端部を電流値の上限値（この例では、＋２０Ａ）、Ｙ座標軸方向の下端部を電流値の下限値（この例では、−２０Ａ）とするＸ−Ｙ波形Ｗが表示される。また、図１５，１６に示すように、電圧の上限値・下限値、および電流の上限値・下限値を変更して入力することで、Ｘ−Ｙ波形Ｗの表示位置や表示スケールが変更される。
【先行技術文献】
【特許文献】
【０００４】
【特許文献１】特開平１−２８７４２０号公報（第２−３頁、第１図）
【発明の概要】
【発明が解決しようとする課題】
【０００５】
ところが、上記のＸ−Ｙレコーダを含む出願人が開発している波形表示装置には、解決すべき以下の課題がある。すなわち、出願人が開発しているこの種の波形表示装置では、電気信号のパラメータ（電圧や電流の上限値・下限値）を入力することによってディスプレイに表示されるＸ−Ｙ波形Ｗの表示スケールや表示位置が決定される。一方、入力した電気信号の波形からＸ−Ｙ波形Ｗの形状や大きさを予測するには熟練を要し、また、電気信号の波形が未知のときには熟練者であってもそのＸ−Ｙ波形Ｗの形状や大きさを予測するのは困難である。このため、この種の波形表示装置では、Ｘ−Ｙ波形Ｗの表示位置および表示スケールが所望のものとなるようなパラメータの入力値を求めるのが比較的困難となっている。また、この種の波形表示装置では、一度表示させたＸ−Ｙ波形Ｗの表示位置や表示スケールが所望のものとなるようにパラメータの入力値を変更する際においても、その入力値を計算して求める必要がある。したがって、この種の波形表示装置では、Ｘ−Ｙ波形Ｗを所望の表示位置に所望の表示スケールで表示させ難いという課題が存在し、この点の改善が望まれている。
【０００６】
本発明は、かかる改善すべき課題に鑑みてなされたものであり、Ｘ−Ｙ波形を所望の表示スケールで所望の表示位置に容易に表示させ得る波形表示装置を提供することを主目的とする。
【課題を解決するための手段】
【０００７】
上記目的を達成すべく請求項１記載の波形表示装置は、１つの物理量をＸ座標軸とし他の１つの物理量をＹ座標軸とする平面内において当該２つの各物理量によって特定される座標点を当該各物理量の経時変化に対応させて複数プロットして得られるＸ−Ｙ波形を表示画面内に表示する表示部と、前記Ｘ−Ｙ波形の表示位置および表示スケールを設定する表示設定操作が可能な操作部と、前記表示設定操作に従って前記表示部による前記Ｘ−Ｙ波形の表示を制御する制御部とを備えた波形表示装置であって、前記操作部は、前記表示画面内における任意の位置に任意の大きさの所定領域を設定する前記表示設定操作としての領域設定操作が可能なポインティングデバイスを備えて構成され、前記制御部は、前記領域設定操作によって前記所定領域が設定されたときに、前記表示部を制御して前記所定領域の全域に表示可能な表示スケールで前記Ｘ−Ｙ波形を当該所定領域内に表示させる表示処理を実行する。
【０００８】
また、請求項２記載の波形表示装置は、請求項１記載の波形表示装置において、前記操作部は、前記ポインティングデバイスを用いた前記領域設定操作において前記所定領域としての矩形領域を設定可能に構成されると共に、前記矩形領域の設定時において当該矩形領域の縦横比を予め規定された値に維持する。
【０００９】
また、請求項３記載の波形表示装置は、請求項１または２記載の波形表示装置において、前記操作部は、前記表示画面内に表示されている複数の前記Ｘ−Ｙ波形の中の１つを選択する波形選択操作が可能に構成され、前記制御部は、前記波形選択操作によって選択された前記Ｘ−Ｙ波形についての前記所定領域が設定されたときに当該選択された前記Ｘ−Ｙ波形に対する前記表示処理を実行する。
【００１０】
また、請求項４記載の波形表示装置は、請求項１から３のいずれかに記載の波形表示装置において、前記操作部は、前記表示画面に表示されている前記Ｘ−Ｙ波形の一部分を選択する前記ポインティングデバイスを用いた部分選択操作が可能に構成され、前記制御部は、前記部分選択操作によって前記Ｘ−Ｙ波形の一部分が選択されたときに、前記表示部を制御して前記表示画面の全域に表示可能な表示スケールで当該一部分を当該表示画面の全域に表示させる拡大表示処理を実行する。
【発明の効果】
【００１１】
請求項１記載の波形表示装置では、ポインティングデバイスを用いた領域設定操作によって所定領域が設定されたときに、制御部が、所定領域の全域に表示可能な表示スケールでＸ−Ｙ波形を所定領域内に表示させる表示処理を実行する。このため、この波形表示装置によれば、ポインティングデバイスを用いて表示画面内における任意の位置に任意の大きさの所定領域を設定するだけの容易な操作で、Ｘ−Ｙ波形を所望の表示位置に所望の表示スケールで表示させることができる。したがって、この波形表示装置によれば、電気信号のパラメータを入力することによってＸ−Ｙ波形の表示位置や表示スケールを決定する従来の波形表示装置と比較して、表示位置や表示スケールを変更する際の操作性を十分に向上させることができる。
【００１２】
また、請求項２記載の波形表示装置によれば、操作部が、ポインティングデバイスを用いた矩形領域の設定時において矩形領域の縦横比を予め規定された値に維持することにより、表示処理の前後（表示スケールの変更の前後）において、Ｘ−Ｙ波形の縦横比を一定に維持することができるため、Ｘ−Ｙ波形の視認性の低下を回避することができる。
【００１３】
また、請求項３記載の波形表示装置では、波形選択操作によって波形用表示画面内に表示されている複数のＸ−Ｙ波形の中の１つが選択され、選択されたＸ−Ｙ波形についての所定領域が設定されたときに、選択されたＸ−Ｙ波形に対する表示処理を実行する。このため、この波形表示装置によれば、複数のＸ−Ｙ波形を表示画面内の任意の位置に任意の大きさでそれぞれ表示させることができるため、例えば、各Ｘ−Ｙ波形同士が重なり合わないように、各Ｘ−Ｙ波形を縮小して並べて表示させることで、各Ｘ−Ｙ波形を見易く表示させることができる。
【００１４】
また、請求項４記載の波形表示装置では、ポインティングデバイスを用いた部分選択操作によって表示画面に表示されているＸ−Ｙ波形の一部分が選択されたときに、表示画面の全域に表示可能な表示スケールでその一部分が表示画面の全域に拡大されて表示される。このため、この波形表示装置では、ポインティングデバイスを用いてＸ−Ｙ波形の一部分を選択するだけの容易な操作で、Ｘ−Ｙ波形における所望の一部分だけを拡大表示させることができる。したがって、この波形表示装置によれば、このような使用形態においても操作性を十分に向上させることができる。
【図面の簡単な説明】
【００１５】
【図１】波形表示装置１の外観図である。
【図２】波形表示装置１の構成を示すブロック図である。
【図３】波形描画処理の方法を説明する第１の説明図である。
【図４】波形描画処理の方法を説明する第２の説明図である。
【図５】波形描画処理の方法を説明する第３の説明図である。
【図６】波形描画処理の方法を説明する第４の説明図である。
【図７】波形描画処理の方法を説明する第５の説明図である。
【図８】波形描画処理の方法を説明する第６の説明図である。
【図９】波形描画処理の方法を説明する第７の説明図である。
【図１０】波形描画処理の方法を説明する第８の説明図である。
【図１１】波形描画処理の方法を説明する第９の説明図である。
【図１２】波形描画処理の方法を説明する第１０の説明図である。
【図１３】波形描画処理の方法を説明する第１１の説明図である。
【図１４】従来の波形表示方法を説明する第１の説明図である。
【図１５】従来の波形表示方法を説明する第２の説明図である。
【図１６】従来の波形表示方法を説明する第３の説明図である。
【発明を実施するための形態】
【００１６】
以下、本発明に係る波形表示装置の実施の形態について、添付図面を参照して説明する。
【００１７】
最初に、波形表示装置１の構成について、図面を参照して説明する。図１に示す波形表示装置１は、本発明に係る波形表示装置の一例であって、同図および図２に示すように、信号処理部１１、記録部１２、ＶＲＡＭ１３、表示部１４、操作部１５および制御部１６を備えて構成されている。
【００１８】
信号処理部１１は、複数のチャネル（この例では４チャンネル）を介して入力された複数の（この例では４つの）電気信号（一例として、電圧信号Ｓｖ１，Ｓｖ２（以下、区別しないときには「電圧信号Ｓｖ」ともいう）および電流信号Ｓｉ１，Ｓｉ２（以下、区別しないときには「電流信号Ｓｉ」ともいう））を信号処理する処理部であって、制御部１６の制御に従って各電気信号をＡ−Ｄ変換して波形データＤｗ１〜Ｄｗ４（以下、区別しないときには「波形データＤｗ」ともいう）を出力する。記録部１２は、制御部１６の制御に従い、信号処理部１１から出力された波形データＤｗを記録する。ＶＲＡＭ１３は、制御部１６によって生成される波形用表示データＤｄ１、操作画像用表示データＤｄ２およびポインタ用表示データＤｄ３（以下、これらを区別しないときには「表示データＤｄ」ともいう）を一時的に記憶する。表示部１４は、一例として、ＬＣＤで構成されて、制御部１６の制御に従い、Ｘ−Ｙ波形Ｗ１，Ｗ２（以下、区別しないときには「Ｘ−Ｙ波形Ｗ」ともいう）、操作画像ＧおよびポインタＰ（いずれも図４参照）などを表示する。この場合、Ｘ−Ｙ波形Ｗは、表示部１４の波形用表示画面２１（本発明における表示画面）内に表示され、操作画像Ｇは、波形用表示画面２１とは別領域であって、波形用表示画面２１の上方の領域に表示される。
【００１９】
ここで、Ｘ−Ｙ波形Ｗは、２つの波形データＤｗによって示される２つの物理量（この例では、電圧値Ｖｍや電流値Ｉｍ）に基づく波形（例えば、リサージュ波形）であって、図１に示すように、１つの物理量（例えば、電圧値Ｖｍ）をＸ座標軸とし他の１つの物理量（例えば、電流値Ｉｍ）をＹ座標軸とするＸ−Ｙ平面内において、電圧値Ｖｍおよび電流値Ｉｍによって特定される座標点Ｃ（図３参照）を両物理量の経時変化（波形データＤｗの記録時間の経過）に対応させて複数プロットして得られる。
【００２０】
操作部１５は、図１に示すように、モード切替えキー３１、記録開始キー３２および記録終了キー３３等の各種のスイッチやキー、並びにマウス３４を備えて構成され、これらが操作されたときに操作信号を出力する。この場合、マウス３４は、本発明におけるポインティングデバイスの一例であって、表示用矩形領域２２（本発明における所定領域の一例：図５参照）を表示部１４の波形用表示画面２１における任意の位置に任意の大きさで設定する領域設定操作（Ｘ−Ｙ波形Ｗの表示位置および表示スケールを設定する表示設定操作）、波形用表示画面２１内に表示されている複数のＸ−Ｙ波形Ｗの中の１つを選択する波形選択操作、波形用表示画面２１内に表示されているＸ−Ｙ波形Ｗを波形用表示画面２１内で移動させる移動操作、波形用表示画面２１に表示されているＸ−Ｙ波形Ｗの一部分を選択用矩形領域２３（図１２参照）で区画して選択する部分選択操作、および操作画像Ｇ内のボタンをクリックする操作などの際に用いられる。この場合、この操作部１５は、マウス３４を用いた領域設定操作および部分選択操作において、表示用矩形領域２２および選択用矩形領域２３が設定（拡大および縮小）される際に、表示用矩形領域２２および選択用矩形領域２３の縦横比を波形用表示画面２１の縦横比（本発明における予め規定された値）と同一に維持する（つまり、縦横比を一定に維持する）。
【００２１】
制御部１６は、操作部１５から出力された操作信号に従って波形表示装置１を構成する各部を制御する。具体的には、制御部１６は、信号処理部１１による信号処理を制御すると共に、記録部１２による波形データＤｗの記録や読み出しを制御する。また、制御部１６は、各種の表示データＤｄをＶＲＡＭ１３内に生成する（記憶させる）と共に、その表示データＤｄを表示部１４に転送することにより、表示部１４によるＸ−Ｙ波形Ｗ、操作画像ＧおよびポインタＰなどの表示を制御する。この場合、制御部１６は、上記した領域設定操作によって表示用矩形領域２２が設定されたときに、表示部１４を制御して表示用矩形領域２２の全域に表示可能な表示スケール（本例では、表示用矩形領域２２の全域に表示可能な最大の表示スケール）で、Ｘ−Ｙ波形Ｗをその表示用矩形領域２２内に表示させる表示変更処理（本発明における表示処理）を実行する。さらに、制御部１６は、上記した部分選択操作によってＸ−Ｙ波形Ｗの一部分が選択されたときに、表示部１４を制御して波形用表示画面２１の全域に表示可能な最大の表示スケールで、選択されたその一部分を波形用表示画面２１の全域に表示させる拡大表示処理を実行する。
【００２２】
次に、波形表示装置１を用いてＸ−Ｙ波形Ｗを表示させる方法の一例、およびその際の波形表示装置１の動作について、図面を参照して説明する。この場合、信号処理部１１の各チャンネルＣｈ１，Ｃｈ２に電圧信号Ｓｖ１，Ｓｖ２がそれぞれ入力して、チャンネルＣｈ３，Ｃｈ４に電流信号Ｓｉ１，Ｓｉ２がそれぞれ入力しているものとする。
【００２３】
まず、操作部１５のモード切替えキー３１を操作して、波形表示装置１を記録モードに切り替えた後に、操作部１５の記録開始キー３２を操作する。この際に、制御部１６が、操作部１５から出力された操作信号に従い、信号処理部１１に対して各電圧信号Ｓｖおよび各電流信号Ｓｉを信号処理させる。この場合、信号処理部１１は、各電圧信号Ｓｖおよび各電流信号ＳｉをＡ−Ｄ変換して波形データＤｗ１〜Ｄｗ４を出力する。次いで、制御部１６は、信号処理部１１から出力された波形データＤｗ１〜Ｄｗ４を記録部１２に記録させる。続いて、各電圧信号Ｓｖおよび各電流信号Ｓｉの記録を終了する際には、操作部１５の記録終了キー３３を操作する。これに応じて、制御部１６は、信号処理部１１を制御して信号処理を停止させると共に、記録部１２を制御して波形データＤｗ１〜Ｄｗ４の記録を終了させる。
【００２４】
一方、記録部１２に記録した各波形データＤｗ（各電圧信号Ｓｖおよび各電流信号Ｓｉ）に基づくＸ−Ｙ波形Ｗを表示させる際には、操作部１５のモード切替えキー３１を操作して、波形表示装置１を波形表示モードに切り替える。この際に、制御部１６が、操作信号に従い、操作画像用表示データＤｄ２をＶＲＡＭ１３内に生成する（記憶させる）と共に、その操作画像用表示データＤｄ２を表示部１４に転送する。これにより、図３に示すように、操作画像用表示データＤｄ２に基づく操作画像Ｇが表示部１４に表示される。次いで、例えば、１つのＸ−Ｙ波形Ｗを表示させるときには、マウス３４を操作して、操作画像Ｇ内における１行目のチャンネルセレクトボタン（同図においてチャンネル番号が表記されたボタン）をクリックして、信号処理部１１の各チャンネルＣｈ１〜Ｃｈ４の中から任意の２つのチャンネル（例えば、チャンネルＣｈ１，Ｃｈ３）を選択する。
【００２５】
続いて、マウス３４を操作して、図３に示すように、操作画像Ｇ内における１行目のＯＮ／ＯＦＦボタンをクリックする。この際に、制御部１６は、操作信号に従い、チャンネルＣｈ１，Ｃｈ３に入力している電圧信号Ｓｖ１および電流信号Ｓｉ１に対応する波形データＤｗ１，Ｄｗ３を記録部１２から読み出して、その波形データＤｗ１，Ｄｗ３に基づく波形用表示データＤｄ１をＶＲＡＭ１３内に生成する。
【００２６】
続いて、制御部１６は、波形用表示データＤｄ１を表示部１４に転送する。これにより、図３に示すように、波形用表示データＤｄ１（波形データＤｗ１，Ｄｗ３）に基づくＸ−Ｙ波形Ｗ１が表示部１４の波形用表示画面２１内に表示される。この場合、制御部１６は、Ｘ−Ｙ波形Ｗ１（Ｘ−Ｙ波形Ｗ１の全体）が波形用表示画面２１の全域に表示可能な最大の表示スケールとなるように波形用表示データＤｄ１を生成する。このため、同図に示すように、Ｘ−Ｙ波形Ｗ１が波形用表示画面２１の全域に大きく表示される。
【００２７】
次に、Ｘ−Ｙ波形Ｗ１に加えて、他のＸ−Ｙ波形Ｗを表示させるときには、マウス３４を操作して、図４に示すように、操作画像Ｇ内における２行目のチャンネルセレクトボタンをクリックして、信号処理部１１の各チャンネルＣｈ１〜Ｃｈ４の中から任意の２つのチャンネル（例えば、チャンネルＣｈ２，Ｃｈ４）を選択し、続いて、マウス３４を操作して、操作画像Ｇ内における２行目のＯＮ／ＯＦＦボタンをクリックする。この際に、制御部１６は、操作信号に従い、チャンネルＣｈ２，Ｃｈ４に入力している電圧信号Ｓｖ２および電流信号Ｓｉ２に対応する波形データＤｗ２，Ｄｗ４を記録部１２から読み出して、その波形データＤｗ２，Ｄｗ４に基づく波形用表示データＤｄ１をＶＲＡＭ１３内に生成する。
【００２８】
次いで、制御部１６は、波形用表示データＤｄ１を表示部１４に転送する。これにより、図４に示すように、波形用表示データＤｄ１に基づくＸ−Ｙ波形Ｗ２がＸ−Ｙ波形Ｗ１と共に表示部１４の波形用表示画面２１に表示される。この場合、制御部１６は、Ｘ−Ｙ波形Ｗ２が波形用表示画面２１の全域に表示可能な最大の表示スケールとなるように波形用表示データＤｄ１を生成する。このため、同図に示すように、Ｘ−Ｙ波形Ｗ２が波形用表示画面２１の全域に大きく表示される。
【００２９】
ここで、図４に示すように、２つのＸ−Ｙ波形Ｗ１，Ｗ２を波形用表示画面２１の全域に大きく表示させたことで、各Ｘ−Ｙ波形Ｗ１，Ｗ２が互いに重なり合い、これによって各Ｘ−Ｙ波形Ｗ１，Ｗ２の形状等の把握が困難なときには、各Ｘ−Ｙ波形Ｗ１，Ｗ２を波形用表示画面２１内の２つの表示用矩形領域２２にそれぞれ縮小して表示させることで、各Ｘ−Ｙ波形Ｗ１，Ｗ２の形状等の把握が容易となる。このような表示態様の変更を行うときには、マウス３４を操作して、図５に示すように、操作画像Ｇ内における１行目の範囲設定ボタンをクリックすることによってＸ−Ｙ波形Ｗ１を選択する（本発明における波形選択操作）。この際に、操作信号に従い、制御部１６が、Ｘ−Ｙ波形Ｗ１についての表示用矩形領域２２を設定する領域設定操作の待機状態に移行する。
【００３０】
続いて、マウス３４を用いて、Ｘ−Ｙ波形Ｗ１についての領域設定操作を行う。具体的には、マウス３４を操作して、図５に示すように、波形用表示画面２１内における任意のスタート位置Ａ１（同図参照）にポインタＰを移動させ、次いで、マウス３４の左ボタン３４ａ（図１参照）をオン状態とした（押した）まま、ドラッグ操作によってそのスタート位置Ａ１から波形用表示画面２１内の任意のエンド位置Ｂ１（図５参照）までポインタＰを移動させ、続いて左ボタン３４ａをオフ状態とする。この際に、同図に示すように、ポインタＰの移動軌跡を対角線とする矩形の枠が表示されると共に、その矩形の枠で囲まれた矩形領域が表示用矩形領域２２として設定される。この場合、操作部１５は、マウス３４を用いた上記の領域設定操作（ドラッグ操作）において、表示用矩形領域２２が設定される際（ポインタＰを移動させて矩形の枠を拡大（または縮小）させる際）に、表示用矩形領域２２の縦横比を波形用表示画面２１の縦横比（本発明における予め規定された値）と同一に維持する（つまり、縦横比を一定に維持する）。
【００３１】
次いで、表示用矩形領域２２の設定が終了したときには、マウス３４を操作して、図６に示すように、１行目の範囲設定ボタンを再度クリックする。この際に、制御部１６は、操作信号に従い、表示変更処理を実行する。この表示変更処理では、制御部１６は、波形データＤｗ１，Ｄｗ３を記録部１２から読み出して、その波形データＤｗ１，Ｄｗ３に基づく波形用表示データＤｄ１をＶＲＡＭ１３内に生成する。この場合、制御部１６は、Ｘ−Ｙ波形Ｗ１の全体を表示用矩形領域２２の全域に表示可能な最大の表示スケールで表示させるための波形用表示データＤｄ１を生成する。続いて、制御部１６は、波形用表示データＤｄ１を表示部１４に転送する。これにより、同図に示すように、表示用矩形領域２２の全域に表示可能な最大の表示スケールで（この例では、縮小された状態で）Ｘ−Ｙ波形Ｗ１が表示用矩形領域２２内に表示される。
【００３２】
次いで、マウス３４を操作して、図７に示すように、操作画像Ｇ内における２行目の範囲設定ボタンをクリックすることによってＸ−Ｙ波形Ｗ２を選択（本発明における波形選択操作）した後に、マウス３４を用いて、Ｘ−Ｙ波形Ｗ２についての領域設定操作（例えば、同図に示すスタート位置Ａ２からエンド位置Ｂ２までポインタＰを移動させるドラッグ操作）を上記と同様にして行う。次いで、表示用矩形領域２２の設定が終了したときには、マウス３４を操作して、図８に示すように、２行目の範囲設定ボタンを再度クリックする。この際に、制御部１６は、操作信号に従い、波形データＤｗ２，Ｄｗ４を記録部１２から読み出して、その波形データＤｗ２，Ｄｗ４に基づき、Ｘ−Ｙ波形Ｗ２の全体を表示用矩形領域２２の全域に表示可能な最大の表示スケールで表示させるための波形用表示データＤｄ１をＶＲＡＭ１３内に生成する。続いて、制御部１６は、波形用表示データＤｄ１を表示部１４に転送する。これにより、同図に示すように、表示用矩形領域２２の全域に表示可能な最大の表示スケールで（この例では、縮小された状態で）Ｘ−Ｙ波形Ｗ２が表示用矩形領域２２内に表示される。
【００３３】
次に、例えば、波形用表示画面２１に表示されているＸ−Ｙ波形Ｗ１の表示スケールを変更することなく、波形用表示画面２１内において移動（表示位置を変更）させるときには、マウス３４を操作して、図９に示すように、操作画像Ｇ内における１行目の等倍移動ボタンをクリックする。この際に、操作信号に従い、制御部１６が、移動操作の待機状態に移行する。
【００３４】
次いで、図１０に示すように、Ｘ−Ｙ波形Ｗ１のいずれかの部位にポインタＰを位置させ、続いて、マウス３４の左ボタン３４ａを用いてのドラッグ操作によってポインタＰを波形用表示画面２１内における任意の位置まで移動させる。この際に、制御部１６は、ポインタＰの移動軌跡に沿ってＸ−Ｙ波形Ｗ１を移動表示させるための波形用表示データＤｄ１をＶＲＡＭ１３内に生成する。次いで、制御部１６は、その波形用表示データＤｄ１を表示部１４に転送する。これにより、同図に示すように、Ｘ−Ｙ波形Ｗ１がポインタＰと共に波形用表示画面２１内における任意の位置に移動する（表示位置が変更される）。
【００３５】
この場合、表示されている２つのＸ−Ｙ波形Ｗ１，Ｗ２の一方（例えばＸ−Ｙ波形Ｗ１）の一部分を、波形用表示画面２１の全域に拡大して表示させるときには、マウス３４を操作して、図１１に示すように、操作画像Ｇ内における２行目のＯＮ／ＯＦＦボタンをクリックする。この際に、制御部１６が表示部１４に対してＸ−Ｙ波形Ｗ２の表示を停止させる。
【００３６】
続いて、マウス３４を用いて、拡大表示するＸ−Ｙ波形Ｗ１の一部分を選択する部分選択操作を行う。具体的には、マウス３４を操作して、図１２に示すように、波形用表示画面２１内における任意のスタート位置Ａ３（同図参照）にポインタＰを移動させ、次いで、マウス３４の右ボタン３４ｂ（図１参照）をオン状態としたまま、ドラッグ操作によってそのスタート位置Ａ３から波形用表示画面２１内の任意のエンド位置Ｂ３（図１２参照）までポインタＰを移動させ、続いて、右ボタン３４ｂをオフ状態とする。この際に、同図に示すように、ポインタＰの移動軌跡を対角線とする矩形の枠が表示されると共に、その矩形の枠の領域が選択用矩形領域２３として設定される。この場合、操作部１５は、マウス３４を用いた上記の部分選択操作（ドラッグ操作）において、選択用矩形領域２３が設定される際（ポインタＰを移動させて矩形の枠を拡大（または縮小）させる際）に、選択用矩形領域２３の縦横比を波形用表示画面２１の縦横比と同一に維持する（つまり、縦横比を一定に維持する）。
【００３７】
次いで、制御部１６は、マウス３４の右ボタン３４ｂがオフ状態となった時点で、操作信号に従い、拡大表示処理を実行する。この拡大表示処理では、制御部１６は、波形データＤｗ１，Ｄｗ３に基づき、選択用矩形領域２３によって選択された（区画された）Ｘ−Ｙ波形Ｗ１の一部分を波形用表示画面２１の全域に表示可能な最大の表示スケールで表示するための波形用表示データＤｄ１をＶＲＡＭ１３内に生成する。続いて、制御部１６は、その波形用表示データＤｄ１を表示部１４に転送する。これにより、図１３に示すように、選択用矩形領域２３によって選択さたれたＸ−Ｙ波形Ｗ１の一部分が波形用表示画面２１の全域に表示可能な最大の表示スケールで波形用表示画面２１の全域に表示される。
【００３８】
このように、この波形表示装置１では、マウス３４を用いた領域設定操作によって表示用矩形領域２２が設定されたときに、制御部１６が、表示用矩形領域２２の全域に表示可能な最大の表示スケールでＸ−Ｙ波形Ｗを表示用矩形領域２２内に表示させる表示処理を実行する。このため、この波形表示装置１によれば、マウス３４を用いて波形用表示画面２１内における任意の位置に任意の大きさの表示用矩形領域２２を設定するだけの容易な操作で、Ｘ−Ｙ波形Ｗを所望の表示位置に所望の表示スケールで表示させることができる。したがって、この波形表示装置１によれば、電気信号のパラメータを入力することによってＸ−Ｙ波形Ｗの表示位置や表示スケールを決定する従来の波形表示装置と比較して、表示位置や表示スケールを変更する際の操作性を十分に向上させることができる。
【００３９】
また、この波形表示装置１によれば、操作部１５が、マウス３４を用いた表示用矩形領域２２の設定時において表示用矩形領域２２の縦横比を予め規定された値（上記の例では、波形用表示画面２１の縦横比と同じ値）に維持することにより、表示変更処理の前後（表示スケールの変更の前後）において、Ｘ−Ｙ波形Ｗの縦横比を一定に維持することができるため、Ｘ−Ｙ波形Ｗの視認性の低下を回避することができる。
【００４０】
また、この波形表示装置１では、マウス３４を用いた波形選択操作によって波形用表示画面２１内に表示されている複数のＸ−Ｙ波形Ｗの中の１つが選択され、選択されたＸ−Ｙ波形Ｗについての表示用矩形領域２２が設定されたときに、選択されたＸ−Ｙ波形Ｗに対する表示処理を実行する。このため、この波形表示装置１によれば、複数のＸ−Ｙ波形Ｗを波形用表示画面２１内の任意の位置に任意の大きさでそれぞれ表示させることができるため、例えば、各Ｘ−Ｙ波形Ｗ同士が重なり合わないように、各Ｘ−Ｙ波形Ｗを縮小して並べて表示させることで、各Ｘ−Ｙ波形Ｗを見易く表示させることができる。
【００４１】
また、この波形表示装置１では、マウス３４を用いた部分選択操作によって波形用表示画面２１に表示されているＸ−Ｙ波形Ｗの一部分が選択されたときに、波形用表示画面２１の全域に表示可能な最大の表示スケールで選択された一部分が波形用表示画面２１の全域に拡大されて表示される。このため、この波形表示装置１では、マウス３４を用いて選択用矩形領域２３を設定するだけの容易な操作で、Ｘ−Ｙ波形Ｗにおける所望の一部分だけを拡大表示させることができる。したがって、この波形表示装置１によれば、このような使用形態においても操作性を十分に向上させることができる。
【００４２】
なお、本発明は、上記の構成に限定されない。例えば、１つのＸ−Ｙ波形Ｗを表示する例、および２つのＸ−Ｙ波形Ｗを表示する例について上記したが、３つ以上の任意の数のＸ−Ｙ波形Ｗを表示することもできる。また、ポインティングデバイスとしてのマウス３４を用いる例について上記したが、マウス３４に代えて、トラックボール、ポインティング・スティック、トラックポイント、ペンタブレット、ジョイスティック、タッチパッドおよびタッチパネル等の各種のポインティングデバイスを用いることができる。
【００４３】
さらに、電圧信号Ｓｖと電流信号Ｓｉに基づくＸ−Ｙ波形Ｗを表示する例について上記したが、２つ（２種類）の電圧信号Ｓｖに基づくＸ−Ｙ波形Ｗや、２つ（２種類）の電流信号Ｓｉに基づくＸ−Ｙ波形Ｗを表示させることもできる。また、本発明における物理量には、電圧および電流に限定されず、他の各種の物理量（例えば、温度、磁界等）が含まれる。また、マウス３４を用いて表示用矩形領域２２および選択用矩形領域２３を設定する際に、各矩形領域２２，２３の縦横比を波形用表示画面２１の縦横比と同じ値に維持する構成例について上記したが、各矩形領域２２，２３の縦横比を波形用表示画面２１の縦横比とは異なる値に維持する構成を採用することもできる。また、縦横比を一定に維持しない（任意に変更可能な）構成を採用することもできる。また、複数のＸ−Ｙ波形Ｗの中の１つを選択する際にマウス３４を用いる例について上記したが、操作部１５のキーを用いる構成を採用することもできる。
【符号の説明】
【００４４】
１  波形表示装置
１４  表示部
１５  操作部
１６  制御部
２１  波形用表示画面
２２  表示用矩形領域
２３  選択用矩形領域
３４  マウス
Ｃ  座標点
Ｇ  操作画像
Ｉｍ  電流値
Ｐ  ポインタ
Ｖｍ  電圧値
Ｗ１，Ｗ２  Ｘ−Ｙ波形
【図１】
2010185672.tif 000003
【図２】
2010185672.tif 000004
【図３】
2010185672.tif 000005
【図４】
2010185672.tif 000006
【図５】
2010185672.tif 000007
【図６】
2010185672.tif 000008
【図７】
2010185672.tif 000009
【図８】
2010185672.tif 000010
【図９】
2010185672.tif 000011
【図１０】
2010185672.tif 000012
【図１１】
2010185672.tif 000013
【図１２】
2010185672.tif 000014
【図１３】
2010185672.tif 000015
【図１４】
2010185672.tif 000016
【図１５】
2010185672.tif 000017
【図１６】
2010185672.tif 000018